(57)【要約】      （修正有）【課題】フィン間に石灰粉が残留し難くなり、フィン間における石灰粉の堆積によるドラム部の重量増加を防止することで、扱い易く、かつ、安定したラインを引くことを可能としたライン引き具を提供する。【解決手段】地面に石灰粉によりラインを形成するライン引きにおいて、石灰粉を収納する筒状の石灰粉収納部１１と、上記石灰粉収納部の下端部に設けられ、複数のフィンを有し、上記石灰粉収納部の下端部に幅方向に沿って設けられた軸部１３に回転可能に固定され、下端に設けられた孔部から上記フィンにより石灰粉を排出するドラム部１５とを備えたライン引きを構成する。さらに、上記ドラム部は、上記軸部に固定され上記フィンが設けられた回転中心部を有し、上記回転中心部の半径寸法は、上記軸部の回転中心からフィンの先端までの長さ寸法の半分以上に形成されている。【選択図】図２
0003174842.tif 000002
【実用新案登録請求の範囲】
【請求項１】
地面に石灰粉によりラインを形成するライン引きにおいて、石灰粉を収納する筒状の石灰粉収納部と、上記石灰粉収納部の下端部に設けられ、複数のフィンを有し、上記石灰粉収納部の下端部に幅方向に沿って設けられた軸部に回転可能に固定され、下端に設けられた孔部から上記フィンにより石灰粉を排出するドラム部とを備えたライン引きであって、
上記ドラム部は、上記軸部に固定され上記フィンが設けられた回転中心部を有し、上記回転中心部の半径寸法は、上記軸部の回転中心からフィンの先端までの長さ寸法の半分以上に形成されていることを特徴とするライン引き。  
【請求項２】
上記回転中心部の半径寸法は上記フィンの幅寸法と同一に形成されていることを特徴とする請求項１記載のライン引き。
【請求項３】
上記ドラム部はゴム製であることを特徴とする請求項１、２又は３記載のライン引き。
【請求項４】
上記フィンは６枚であって互いに等間隔で設けられていることを特徴とする請求項１、２、３又は４記載のライン引き。  
【考案の詳細な説明】
【技術分野】
【０００１】
本考案は、ライン引き具の改良に関する。
【背景技術】
【０００２】
一般に、校庭やグラウンドにライン(白線)を引く為にはライン引き具が使用されている。このような従来の、地面に石灰粉によりラインを形成するライン引き具は、石灰粉を収納する筒状の石灰粉収納部と、上記石灰粉収納部の下端部に設けられ、複数のフィンを有し、上記石灰粉収納部の下端部に幅方向に沿って設けられた軸部に回転可能に固定され、下端に設けられた孔部から上記フィンにより石灰粉を排出するドラム部とを備え、上記軸部に嵌着した車輪が回転することで、上記軸部を介して、上記石灰粉収納部内部にある上記フィンが連動回転し、上記孔部から石灰粉が落下することでラインが引かれる構成が一般的である。
【０００３】
しかし、従来のライン引き具においては、図５に示すように、ドラム部２１に設けられたフィン２２の先端から回転中心部２３の外周までの長さ寸法Ｌ４が回転中心部２３の半径寸法Ｌ３に比べて長く、フィン２２の間の溝が深く形成されているため、使用していく中で、上記フィン２２の間に石灰粉が残留し、フィン間における石灰粉の堆積によるドラム部２１の重量が増加し、ドラム部２１を回転させ難くなり、ライン引き具が扱い難くなってしまうという問題点があった。また、ライン引き具の扱い難さは、安定したラインを引くことの阻害要因となっていた。
【０００４】
上記問題を解決するために、定期的にフィン間の残留石灰粉の除去を行っていたが、この除去作業は大きな負担となっていた。
【０００５】
更に、従来、特許文献１に示すようにドラム部にプラスチックを採用した場合、プラスチックは耐久性が低いため、上記石灰粉収納部に異物が混入し、上記ドラム部に異物が接触したときには、異物との接触による衝撃によって、ドラム部、特にドラム部に設けられたフィンが破損する場合がある。
【０００６】
上記問題を解決するために、ドラム部に耐久性の高い金属等を採用した場合には、ドラム部の重量が増加し、ドラム部を回転させ難くなり、ライン引き具が扱い難くなるという不具合がある。
【特許文献１】実開平５−９５５８３号公報
【考案の開示】
【考案が解決しようとする課題】
【０００７】
そこで本考案の課題は、フィン間に石灰粉が残留し難くなり、フィン間における石灰粉の堆積によるドラム部の重量増加を防止し、上記石灰粉収納部に石灰粉が収納された状態においても、ドラム部は常時滑らかに回転し、上記孔部から石灰粉は継続して排出されるようにすることで、扱い易く、かつ、安定したラインを引くことを可能としたライン引き具を提供することにある。
【０００８】
また、本発明の他の課題は、上記石灰粉収納部に混入した異物が上記ドラム部に接触した場合でも、ゴムの可撓性により異物との接触による衝撃を緩和し、ドラム部、特にドラム部に設けられたフィンの破損可能性を低減させることで、ドラム部の耐久性を向上させ、製品寿命の長いライン引き具を提供することにある。
【課題を解決するための手段】
【０００９】
上記課題を解決するために、請求項１に記載された考案に係るライン引き具は、地面に石灰粉によりラインを形成するライン引きにおいて、石灰粉を収納する筒状の石灰粉収納部と、上記石灰粉収納部の下端部に設けられ、複数のフィンを有し、上記石灰粉収納部の下端部に幅方向に沿って設けられた軸部に回転可能に固定され、下端に設けられた孔部から上記フィンにより石灰粉を排出するドラム部とを備えたライン引きであって、上記ドラム部は、上記軸部に固定され上記フィンが設けられた回転中心部を有し、上記回転中心部の半径寸法は、上記軸部の回転中心からフィンの先端までの長さ寸法の半分以上に形成されていることを特徴とする。
【００１０】
従って、請求項１記載の考案にあっては、上記ドラム部は、上記軸部に固定され上記フィンが設けられた回転中心部を有し、上記回転中心部の半径寸法は、上記軸部の回転中心からフィンの先端までの長さ寸法の半分以上に形成されていることから、フィン間の溝の深さ寸法が小さく、かつ、回転中心部の外周により形成される溝底面幅の寸法が大きく、フィン間に石灰粉が残留し難くなり、フィン間における石灰粉の堆積によるドラム部の重量増加を防止できる。
【００１１】
また、請求項２記載の考案に係るライン引き具においては、上記回転中心部の半径寸法は上記フィンの幅寸法と同一に形成されていることを特徴とする。
【００１２】
従って、請求項２記載の考案にあっては、上記回転中心部の半径寸法は上記フィンの幅寸法と同一に形成されていることから、フィン間の溝の深さ寸法が小さく、かつ、回転中心部の外周により形成される溝底面幅の寸法が大きく、フィン間に石灰粉が残留し難くなり、フィン間における石灰粉の堆積によるドラム部の重量増加を防止できると同時に、必要十分な石灰粉を攪拌できる。
【００１３】
また、請求項３記載の考案に係るライン引き具においては、上記ドラム部はゴム製であることを特徴とする。
【００１４】
従って、請求項３記載の考案にあっては、上記ドラム部がゴム製であることから、上記石灰粉収納部に異物が混入した場合でも、ゴムの可撓性により異物との接触による衝撃を緩和し、上記ドラム部、特に上記フィンの破損可能性を低減することができる。
【００１５】
また、請求項４記載の考案に係るライン引き具においては、上記フィンは６枚であって互いに等間隔で設けられていることを特徴とする。
【００１６】
従って、請求項４記載の考案にあっては、上記フィンは６枚であって互いに等間隔で設けられていることから、フィン間の溝の深さ寸法が小さく、かつ、回転中心部の外周により形成される溝底面幅の寸法が大きく、フィン間に石灰粉が残留し難くなり、フィン間における石灰粉の堆積によるドラム部の重量増加を防止できると同時に、必要十分な石灰粉を均一に攪拌できる。
【考案の効果】
【００１７】
請求項１に記載された考案に係るライン引き具にあっては、地面に石灰粉によりラインを形成するライン引きにおいて、石灰粉を収納する筒状の石灰粉収納部と、上記石灰粉収納部の下端部に設けられ、複数のフィンを有し、上記石灰粉収納部の下端部に幅方向に沿って設けられた軸部に回転可能に固定され、下端に設けられた孔部から上記フィンにより石灰粉を排出するドラム部とを備えたライン引きであって、上記ドラム部は、上記軸部に固定され上記フィンが設けられた回転中心部を有し、上記回転中心部の半径寸法は、上記軸部の回転中心からフィンの先端までの長さ寸法の半分以上に形成されていることから、フィン間の溝の深さ寸法が小さく、かつ、回転中心部の外周により形成される溝底面幅の寸法が大きく、フィン間に石灰粉が残留し難くなり、フィン間における石灰粉の堆積によるドラム部の重量増加を防止できる。
その結果、上記石灰粉収納部に石灰粉が収納された状態においても、ドラム部は常時滑らかに回転し、上記孔部から石灰粉が継続して排出されるため、扱い易く、かつ、安定したラインを引くことを可能としたライン引き具を提供することができる。
【００１８】
請求項２記載の考案に係るライン引き具にあっては、上記回転中心部の半径寸法は上記フィンの幅寸法と同一に形成されていることから、フィン間の溝の深さ寸法が小さく、かつ、回転中心部の外周により形成される溝底面幅の寸法が大きく、フィン間に石灰粉が残留し難くなり、フィン間における石灰粉の堆積によるドラム部の重量増加を防止できると同時に、必要十分な石灰粉を攪拌できる。
その結果、上記石灰粉収納部に石灰粉が収納された状態においても、ドラム部は常時滑らかに回転し、必要十分な石灰粉が上記孔部へと移動することで、上記孔部から必要十分な石灰粉が継続して排出されるため、扱い易く、かつ、安定したラインを引くことを可能としたライン引き具を提供することができる。
【００１９】
請求項３記載の考案に係るライン引き具にあっては、上記ドラム部はゴム製であることから、上記石灰粉収納部に混入した異物が上記ドラム部に接触した場合でも、ゴムの可撓性により異物との接触による衝撃を緩和し、上記ドラム部、特に上記ドラム部に設けられた上記フィンの破損可能性を低減することができる。
その結果、ドラム部の耐久性を向上させることができ、製品寿命の長いライン引き具を提供することができる。
【００２０】
請求項４記載の考案に係るライン引き具にあっては、上記フィンは６枚であって互いに等間隔で設けられていることから、フィン間の溝の深さ寸法が小さく、かつ、回転中心部の外周により形成される溝底面幅の寸法が大きく、フィン間に石灰粉が残留し難くなり、フィン間における石灰粉の堆積による、ドラム部の重量増加を防止できると同時に、必要十分な石灰粉を均一に攪拌できる。
その結果、上記石灰粉収納部に石灰粉が収納された状態においても、ドラム部は常時滑らかに回転し、均一、かつ、必要十分な石灰粉が上記孔部へと移動することで、上記孔部から均一、かつ、必要十分な石灰粉が継続して排出されるため、扱い易く、かつ、安定したラインを引くことを可能としたライン引き具を提供することができる。
【図面の簡単な説明】
【００２１】
【図１】本考案に係るライン引き具の一実施の形態を示し、実施の形態におけるライン引き具の斜視図である。
【図２】本考案に係るライン引き具の一実施の形態を示し、実施の形態におけるライン引き具の断面図である。
【図３】本考案に係るライン引き具の一実施の形態を示し、実施の形態におけるドラム部の斜視図である。
【図４】本考案に係るライン引き具の一実施の形態を示し、実施の形態におけるドラム部の断面図である。
【図５】従来のライン引き具に係るドラム部の断面図である。
【考案を実施するための最良の形態】
【００２２】
以下、添付図面に示す実施の形態に基づき、本考案に係るライン引き具を詳述する。
【００２３】
図１乃至図４に示すように、本考案に係るライン引き具１０は、石灰粉を収納する筒状の石灰粉収納部１１と、上記石灰粉収納部１１の下端部に設けられ、複数のフィン１２を有し、上記石灰粉収納部１１の下端部に幅方向に沿って設けられた軸部１３に係合ピン１８により回転可能に固定され、下端に設けられた孔部１４(図示せず)から上記フィン１２により石灰粉を排出するドラム部１５とを備えている。
上記ドラム部１５は、上記ドラム部１５の空洞１９に軸部１３を挿通させた状態で、上記軸部１３に係合ピン１８により固定され、上記フィン１２が設けられた回転中心部１６を有し、上記回転中心部１６の半径寸法Ｌ１は、上記軸部１３の回転中心からフィン１２の先端までの長さ寸法Ｌの半分以上になるように構成されている。  
【００２４】
図３及び図４に示すように、本考案に係るドラム部１５は、上記回転中心部１６の半径寸法Ｌ１が上記フィン１２の幅寸法Ｌ２と同一になるように構成されている。
【００２５】
図３及び図４に示された本考案に係るドラム部１５はゴム製である。
【００２６】
図３及び図４に示すように、本考案に係るドラム部１５は、上記フィン１２が６枚であって互いに等間隔で設けられている。  
【００２７】
図１に示すように、本考案に係るライン引き具１０には、上記石灰粉収納部１１の左右において上記軸部１３両端に嵌着された一対の車輪１７がそれぞれ設けられている。
【００２８】
以下、本実施例に係るライン引き具の作用について説明する。
図１に示すように、ライン引き具１０は石灰粉収納部１１により筒状に形成され、その内部に石灰粉の白粉を収納した状態において、図２に示すように、上記車輪１８の回転は上記軸部１３を介し、ドラム部１５に設けられた上記フィン１２に伝達され、上記フィン１２が回転し、内部の石灰粉を攪拌する。
攪拌された石灰粉は、上記石灰粉収納部１１の底部に設けられた孔部１４(図示せず)から地面に落下し、地面上にラインが形成される。
【００２９】
このとき、上記ドラム部１５の回転中心部１６の半径寸法Ｌ１は上記フィン１２の幅寸法Ｌ２と同一になるように形成されていることから、フィン１２間の溝の深さ寸法が小さく、かつ、回転中心部の外周により形成される溝底面２０の幅寸法が大きく、フィン１２間に石灰粉が残留し難くなり、フィン１２間における石灰粉の堆積によるドラム部１５の重量増加を防止できると同時に、必要十分な石灰粉を均一に攪拌できる。
【００３０】
その結果、上記石灰粉収納部１１に石灰粉が収納された状態においても、ドラム部１５は常時滑らかに回転し、均一、かつ、必要十分な石灰粉が上記孔部１４(図示せず)へと移動することで、上記孔部１４から均一、かつ、必要十分な石灰粉が継続して排出されるため、扱い易く、かつ、安定したラインを引くことを可能としたライン引き具を提供することができる。
【００３１】
また、ドラム部１５はゴム製であることから、上記石灰粉収納部１１に混入した異物が上記ドラム部１５に接触した場合でも、ゴムの可撓性により異物との接触による衝撃を緩和し、上記ドラム部１５、特に上記ドラム部１５に設けられた上記フィン１２の破損可能性を低減することができる。
その結果、ドラム部１５の耐久性を向上させることができ、製品寿命の長いライン引き具を提供することができる。
【００３２】
なお、本実施例におけるライン引き具は、２輪構成のものを一例とし説明したが、本考案は、２輪以上の車輪を有する構成のライン引き具であっても、考案に係る構成は同一であり、かつ、その作用、効果も同一である。
【００３３】
また、本実施例におけるライン引き具は、石灰粉収納部１１に石灰粉を収納するものを一例とし説明したが、本考案は、石灰粉等、その他の白色粒状物を石灰粉収納部１１に収納するライン引き具であっても、その作用、効果は同一である。
【産業上の利用可能性】
【００３４】
本製品は、競技を行うグランド等にライン（白線）を引くためのライン引き具に適用可能である。
【符号の説明】
【００３５】
１０ ライン引き具
１１ 石灰粉収納部
１２ フィン
１３ 軸部
１４ 孔部
１５ ドラム部
１６ 回転中心部
１７ 車輪
１８ 係合ピン
１９ 空洞
２０ 溝底面
２１ 従来のライン引き具におけるドラム部
２２ 従来のライン引き具におけるフィン
２３ 従来のライン引き具における回転中心部
２４ 従来のライン引き具における溝底面
２５  従来のライン引き具における空洞
【図１】
0003174842.tif 000003
【図２】
0003174842.tif 000004
【図３】
0003174842.tif 000005
【図４】
0003174842.tif 000006
【図５】
0003174842.tif 000007
【手続補正書】
【提出日】平成24年2月3日(2012.2.3)
【手続補正１】
【補正対象書類名】実用新案登録請求の範囲
【補正対象項目名】全文
【補正方法】変更
【補正の内容】
【実用新案登録請求の範囲】
【請求項１】
地面に石灰粉によりラインを形成するライン引きにおいて、石灰粉を収納する筒状の石灰粉収納部と、上記石灰粉収納部の下端部に設けられ、複数のフィンを有し、上記石灰粉収納部の下端部に幅方向に沿って設けられた軸部に回転可能に固定され、下端に設けられた孔部から上記フィンにより石灰粉を排出するドラム部とを備えたライン引きであって、
上記ドラム部は、上記軸部に固定され上記フィンが設けられた回転中心部を有し、上記回転中心部の半径寸法は、上記軸部の回転中心からフィンの先端までの長さ寸法の半分以上に形成されていることを特徴とするライン引き。  
【請求項２】
上記回転中心部の半径寸法は上記フィンの幅寸法と同一に形成されていることを特徴とする請求項１記載のライン引き。
【請求項３】
上記ドラム部はゴム製であることを特徴とする請求項１記載のライン引き。
【請求項４】
上記フィンは６枚であって互いに等間隔で設けられていることを特徴とする請求項１記載のライン引き。